(57)【特許請求の範囲】
【請求項１】
送話器からの信号の利得を制御する利得制御器の制御を、該送話器からの信号の特定周波数帯域の周波数を通過させる帯域濾波器の出力を、所定の減衰特性でピーク検出値が保持されるピークホールド回路へ通過させた送話ピークレベル信号で行うことにより、周囲雑音を抑制するようにするハンズフリー型音声端末器用周囲雑音抑制装置において、
前記送話ピークレベル信号の信号レベルを制御する第２利得制御器と、
前記送話器よりの信号の特定周波数帯域の周波数を通過させる第２帯域濾波器と、
前記第２帯域濾波器より出力される信号の平均化された振幅レベルを検出するレベル検出手段と、
前記第２帯域濾波器より出力される信号より、送話音声のない無音声期間と送話音声のある音声期間とをパルス期間として検出生成するタイミングパルス発生手段と、
該無音声期間では前記レベル検出手段の出力を出力し、また該音声期間では該音声期間の開始直前の該無音声期間における前記レベル検出手段の出力値を保持して出力し前記第２利得制御器の制御信号とするサンプルホールド手段と、
を備えた事を特徴とするハンズフリー型音声通信端末器用周囲雑音抑制装置。
【請求項２】
前記サンプルホールド手段を、前記音声期間に対しては前記レベル検出手段より出力される信号を出力し、また前記無音声期間に対しては該無音声期間の開始直前の前記音声期間における前記レベル検出手段の出力値を保持して出力するようにしたことを特徴とする請求項１記載のハンズフリー型音声通信端末器用周囲雑音抑制装置。
【請求項３】
前記サンプルホールド手段を、前記無音声期間に対しては前記レベル検出手段よりの出力を出力し、また前記音声期間に対しては前記レベル検出手段よりの出力を一定量減衰させた出力を出力するようにしたことを特徴とする請求項１記載のハンズフリー型音声通信端末器用周囲雑音抑制装置。
【請求項４】
前記タイミングパルス発生手段に入力する信号が、受話信号の特定周波数帯域の周波数を通過させた信号であることを特徴とする請求項１、２または３の何れかに記載のハンズフリー型音声通信端末器用周囲雑音抑制装置。
【請求項５】
前記タイミングパルス発生手段に入力する信号が、前記ピークレベル信号であることを特徴とする請求項１、２または３の何れかに記載のハンズフリー型音声通信端末器用周囲雑音抑制装置。
【請求項６】
前記サンプルホールド手段より出力される信号が所定の設定値以下では前記第２利得制御器の制御を行わないようにする下限リミタを備えたことを特徴とする請求項１、２、３、４または５の何れかに記載のハンズフリー型音声通信端末器用周囲雑音抑制装置。
【請求項７】
前記第２帯域濾波器を前記帯域濾波器と共用させた事を特徴とする請求項１、２、３、４、５または６の何れかに記載のハンズフリー型音声通信端末器用周囲雑音抑制装置。
【請求項８】
前記第２利得制御器を前記利得制御器と共用させた事を特徴とする請求項１、２、３、４、５、６または７の何れかに記載のハンズフリー型音声通信端末器用周囲雑音抑制装置。
【発明の詳細な説明】
【０００１】
【産業上の利用分野】
本発明は電話機等の、特に、ハンズフリー型と呼ばれる手を開放したままで通話を行ない、かつ、送話器が口元から離れているタイプの電話機等の音声通信端末器において、周囲雑音が強調されるのを制御するための音声通信端末器用周囲雑音抑制装置に関する。
【０００２】
【従来の技術】
本発明と同一出願人が出願（特願平６−１６９２０号）した音声通信端末器用周囲雑音抑制御装置を図７を参照して説明する。
電話機の送話器では通話者の音声および周囲雑音が共に電気信号に変換されて出力される。また受話器では通話相手より伝達された通信信号に自送話器よりの信号の１部が加えられて受話音声に変換される。すなわち、送話者は自分が発声した音声を受話器で確認することによって安心して通話を行うことができるため、送話信号の１部を受話信号に加えるようになっている。
【０００３】
このため、自分が高周囲雑音下にいて通話を行う場合特に問題となるのは、自分が話さず相手の通話を聞く場合であり、相手の通話に自送話器よりの周囲雑音が加わるため非常に聞きとりにくくなる。また通話社相手側の不都合は、自分が相手の話を聞いている時は自分の周囲の雑音がそのまま伝達されて相手の受話器で再生されるため相手は非常に不快であることと、相手も自身の話し声を受話器で確認するのが困難になり会話に支障をきたすことである。
【０００４】
音声通信端末器用周囲雑音抑制装置は、このような周囲雑音の影響を制御するもので特に自分が発声していない無音声期間の送話器の周囲雑音レベルを抑制するものである。
図７において、１は送話器よりの信号レベルを制御する利得制御器、２は特定の周波数帯域の信号を通過させる帯域濾波器、３は振幅ピーク値を検出するピーク検出器、４は特定の減衰特性を持つホールド回路である。
帯域濾波器２は会話の特徴的な周波数領域を抽出するものである。
帯域濾波器や帯域濾波器２は利得制御入力として適当な信号レベルとするために、設計上適当な増幅利得を持つことが通例である。
【０００５】
人の会話の主語音域と大半のエネルギーは母音が占める。母音は、図８に示すように、第１〜第３フォルマントと呼ばれる特有の周波数スペクトラムの合成音で、中でも第１および第２フォルマントで大半のエネルギーを占有する。
したがって帯域濾波器２は０．２〜１．０ＫＨＺ  付近または０．２〜２．０ＫＨＺ  付近の周波数帯の信号を通過させる物が好ましい。
【０００６】
一方、周囲雑音は車や電車の回転音のような低周波数帯（５０〜１５０  ＨＺ  ）、摩擦音のような高周波数帯（２ＫＨＺ  以上）の成分が多く含まれる。
したがって、帯域濾波器２の通過帯域を０．２〜１．０ＫＨＺ  付近、または０．２〜２．０ＫＨＺ  付近に設定することによって通話を行っているか否かを容易に検出することができる。
【０００７】
図９はピーク検出器３およびホールド回路４の具体例を示している。すなわち、ダイオードＤ１  およびオペアンプＯＰ１  で信号の一方のピーク値が検出され、容量ＣＨ  と抵抗ＲＨ  からなる充放電回路でピーク値がホールドされた後ＣＨ  ・ＲＨ  で定まる放電時定数で減衰しこの電圧がオペアンプＯＰ２  を介して出力される。放電時定数ＣＨ  ・ＲＨ  の値は母音フォルマントがほぼ２００〜２ＫＨＺ  に分布し最低周波数２００ＨＺに対応する最長周期が約５ｍｓｅｃであり、母音最長周期のピーク減衰率を３０％以下に抑制することが望ましいことから、通常１０ｍｓｅｃ以上に設定される。
【０００８】
図７において利得制御器１では、送話器よりの信号をＶｉ、ホールド回路４よりの制御信号である送話ピークレベル信号をＶｃとすると、
Ｖｏ＝Ｋ・Ｖｃ・Ｖｉ                                        ・・（１）
ただし、Ｋ：は定数
なる乗算を行って出力信号Ｖｏを出力する。
【０００９】
すなわち、送話器で通話を行っていないとき即ち無音声期間は帯域濾波器２には通話の特徴とする周波数帯の信号レベルは非常に小さく、ホールド回路４の出力電圧Ｖｃは小さくなり、利得制御器１より出力される周囲雑音信号の利得はＶｃに比例して小さく制御される。
また、通話を行っているとき即ち音声期間は、ホールド回路４の出力電圧Ｖｃは大となり、利得制御器１より出力される通話音声信号の利得は制御電圧Ｖｃに比例して大きくなる。この結果、通話に大きな支障を与える送話者の無音声期間に送信される周囲雑音レベルが抑制されることになる。
【００１０】
また帯域濾波器にはスイッチＳＷが設けられており、周囲雑音の平均レベルが高いときにはスイッチＳＷは閉じて帯域濾波器の利得を下げて、制御信号Ｖｃの利得制御器に対する制御感度を下げ、周囲雑音がそれほど高くないときはスイッチＳＷを開にして動作させるようにしている。
【００１１】
図１０は周囲雑音レベルと送話器出力レベルとの関係を示している。
送話器より出力される周囲雑音出力は周囲雑音レベルに比例した信号が出力される。
【００１２】
一方音声出力は、周囲雑音レベルが低い範囲では、通話者の口より発せられる音声出力はほぼ一定のレベルであるが、周囲雑音出力が高くなると、この周囲雑音出力の一部が受話器で聞こえるようになるため、この周囲雑音出力を打消すような音声出力となり、結果として図１０の音声出力に示すような出力レベルの信号が送話器より出力される。これは高周囲雑音下では送話音声出力レベルは周囲雑音出力レベルに比例して上昇することを示す。
【００１３】
送話器入力として日常経験する周囲雑音レベルは約４０〜８０ｄｂＳＰＬ  であり、音声信号  レベルは周囲雑音より少なくとも２０ｄｂ以上大きいことを考えると、利得制御器の制御レンジは少なくとも６０ｄｂ必要となる。この制御レンジを低電圧低電流のバッテリー動作の携帯機器等にて確保するのは難しく、制御信号レベルにはある値を越えても利得が一定のままとなる制御入力上限値が設定される。図１０に示すように周囲雑音レベルが大きくなると制御信号の入力である送話信号レベルも増大し、制御信号レベルＶｃ  の値は制御入力上限値を越えて制御入力飽和状態となる。制御入力飽和状態では利得制御器の利得は一定値となるので、周囲雑音抑制効果はなくなってしまう。
従って周囲雑音レベルが高い場合は帯域濾波器１のスイッチＳＷを閉じて帯域濾波器の利得を下げ、制御信号Ｖｃの制御感度を下げて、利得制御器の制御入力飽和を無くすようにしている。
【００１４】
【発明が解決しようとする課題】
前述したように、従来の音声通信端末器用周囲雑音抑制装置においては、利得制御器の制御入力の飽和をなくし利得制御器の制御範囲を低周囲雑音下から高周囲雑音下まで確保するために、周囲雑音の平均レベルが高い場合は利得制御器の制御入力である送話ピークレベル信号を一定レベル低下させる制御感度の切替を手動で行うようにしていた。
このため、切替手段の切替えを自分で周囲雑音の大きさより判断したり、通話相手より周囲雑音がうるさいと注意されて切替えを行っており、使い勝手が悪かった。
【００１５】
また、周囲雑音の平均レベルが高いと判断して切替えを行って通話を行ない、その後、周囲雑音の平均レベルが低い状態で通話を行う場合は切りもどしを行う必要があるが、切りもどしを忘れて相手より通話音声が小さいと注意されることもある。
【００１６】
本発明は、送話器からの信号を会話音声特有の周波数を取り出す帯域濾波器と特定の減衰特性でピーク検出値を保持するピークホールド回路に通して作成した送話ピークレベル信号を制御入力として送話器からの信号を利得制御するに際し、送話ピークレベル信号の制御感度を周囲雑音の平均レベルの変化に応じて自動調整されるように改良したハンズフリー型音声通信端末器用周囲雑音抑制装置を提供することを目的とする。
【００１７】
【課題を解決するための手段】
前述した課題を解決するために本発明が採用した手段を説明する。
本発明における第１の発明は、送話器からの信号の利得を制御する利得制御器の制御を、該送話器からの信号の特定周波数帯域の周波数を通過させる帯域濾波器の出力を、特定の減衰特性でピーク検出値が保持されるピークホールド回路に通過させた送話ピークレベル信号で行うことにより周囲雑音を抑制するようにするハンズフリー型音声端末器用周囲雑音制御装置において、
前記送話ピークレベル信号の信号レベルを制御する第２利得制御器と、
前記送話器よりの信号の特定周波数帯域の周波数を通過させる第２帯域濾波器と、
前記第２帯域濾波器より出力される信号の平均化された振幅レベルを検出するレベル検出手段と、
前記第２帯域通過濾波器より出力される信号より、送話音声のない無音声期間と送話音声のある音声期間とをパルス期間として検出生成するタイミングパルス発生手段と、
該無音声期間では前記レベル検出手段の出力を出力し、また該音声期間では該音声期間の開始直前の該無音声期間における前記レベル検出手段の出力値を保持して出力し前記第２利得制御器の制御信号とするサンプルホールド手段と、
を備えた事を特徴とするハンズフリー型音声通信端末器用周囲雑音抑制装置である。
【００１８】
また、第２の発明においては、前記サンプルホールド手段を、前記音声期間に対しては前記レベル検出手段より出力される信号を出力し、また前記無音声期間に対しては前記無音声期間の開始直前の前記音声期間における前記レベル検出手段の出力値を保持して出力するようにする。
【００１９】
また、第３の発明においては、前記サンプルホールド手段を、前記無音声期間に対しては前記レベル検出手段よりの出力を出力し、また前記音声期間に対しては前記レベル検出手段よりの出力を一定量減衰させた出力を出力するようにする。
【００２０】
また、第４の発明においては、前記タイミングパルス発生手段に入力する信号を、受話信号の特定周波数帯域の周波数を通過させた信号にする。
【００２１】
また、第５の発明においては、前記タイミングパルス手段に入力する信号を、前記送話ピークレベル信号にする。
【００２２】
また、第６の発明においては、前記サンプルホールド手段より出力される信号が所定の設定値以下では前記第２利得制御器の制御を行わないようにする下限リミタを備える。
【００２３】
また第７の発明においては、前記第２帯域濾波器を前記帯域濾波器と共用させる。
【００２４】
また、第８の発明においては、前記第２利得制御器を前記利得制御器と共用させる。
【００２５】
【作用】
前述のように第１の発明では、送話器よりの信号の利得を制御する送話ピークレベル信号の大きさを、無音声期間は無音声期間の平均化された送話信号レベルつまり周囲雑音平均レベルで、また音声期間は直前の無音声期間の平均化された送話信号レベル値を保持した信号つまり音声期間直前の周囲雑音平均レベル値で制御するようにさせたので、周囲雑音の平均レベルの変化に対応して送話ピークレベル信号の信号レベル即ち利得制御器に対する制御信号の感度が自動調整される。
【００２６】
また、本制御を必要とする高周囲雑音下では、図１０に示すように送話器より出力される音声信号レベルは周囲雑音レベルに比例するので、周囲雑音レベルのかわりに音声信号レベルを検出し制御に使用してもよい。従って第２の発明では、音声期間は音声期間の平均音声信号レベルで、また無音声期間は直前の音声期間の出力値を保持して送話ピークレベル信号を制御するようにしたので、第１の発明と同等の効果を発揮する。この方法では出力の大きい音声信号レベルを利用するので、帯域濾波器２の利得を第１の発明より一定量下げることが普通である。
【００２７】
また第３の発明では、音声期間は音声期間の信号レベルを一定量減衰させた信号で、また無音声期間は無音声期間の信号レベルで送話ピークレベル信号を制御することで、ほぼ全時間周囲雑音検出が実行されるようになり、音声期間又は無音声期間のいずれか一方を周囲雑音検出を行わないホールド期間とする方法と比して、周囲雑音レベルの大きな変動がホールド期間内に生じた時の応答遅れを大きく改善できる。
【００２８】
また第４の発明では、無音声期間の検出を、相手が話しをしている時は自分は話しをしていないという現象を利用して、相手より伝達された受話信号によって行うようにしたので、送話信号による無音声期間の検出が困難なほど送話側の周囲雑音レベルが高くても無音声期間を確実に検出することができタイミングパルスの作成が容易となる。
【００２９】
また、周囲雑音レベルが低い場合には、利得制御器の制御入力飽和の心配もないので本制御を行う必要もない。従って第６の発明では、利得制御器の制御信号が所定の設定値以下では第２利得制御器の制御入力を一定とする下限リミタを設けることで、第２利得制御器自体の出力飽和を防ぐことが本制御の効果を損なうことなく実現できる。
また、第７の発明では第２帯域濾波器を帯域濾波器で共用させ、第８の発明では、第２利得制御器を利得制御器で共用させ、第５の発明ではタイミングパルス発生手段の入力を送話ピークレベル信号で共用させるようにすることで装置構造を簡単化することができる。
【００３０】
【実施例】
本発明の一実施例を図１を参照して説明する。図１は前述の第１の発明を実現する本発明の第１の実施例の構成図である。
図１において、利得制御器１、帯域濾波器２、ピーク検出器３およびホールド回路４については図７で説明した通りである。
【００３１】
また、５は帯域濾波器２と同様な特性を有する第２帯域濾波器、６は整流器、７は高調波成分を除去して平均値を出力するための第１低域濾波器、８はサンプルホールド回路、９は高調波成分を除去する第２低域濾波器、１０は判定器、１１はオンディレイ回路、１２は下限リミタ、１３はホールド回路４より出力される制御電圧Ｖｏ  を制御する第２利得制御器である。
【００３２】
第１の実施例の動作を図２を参照して説明する。図２（Ａ）は送話器より出力される信号、（Ｂ）は第１低域濾波器７の出力、（Ｃ）は第２低域濾波器９の出力、（Ｄ）は判定器１０の出力、（Ｅ）はオンディレイ回路１１の出力、（Ｆ）はサンプルホールド回路８の出力を示している。
【００３３】
制御入力感度の急激な変化が頻発すると聞き取りにくくなり使用感を損なうので、感度制御はゆるかに行うのがよく、そのため周囲雑音レベルの平均値を検出する方法を採用する。
第１低域濾波器７は平均値を出力するために低域通過帯域巾が狭くなっており、図２（Ｂ）に示すように立上がりおよび立下り時間が、図２（Ｃ）に示す第２低域濾波器９の出力より長くなっている。
判定器１０は、図２（Ｃ）で示すように、第２低域濾波器９の出力が判定レベルより以上になるとオフ、以下ではオンを出力する。すなわち、無音声期間はオン、音声期間はオフを出力する。なお本文ではオンをハイレベル１、オフをロウレベル０とする正論理で図面を記述している。
【００３４】
オンディレイ回路１１は、図２（Ｅ）に示すように、判定器１０より出力される信号がオフよりオンに変化する場合は遅延してオンを出力する。
サンプルホールド回路８は、オンディレイ回路１１より出力される信号がオンの間は図２（Ｂ）に示される第１低域濾波器７より出力される信号を出力し、オンよりオフに変化した場合はオンよりオフに変化する時点の第１低域濾波器７よりの出力をオフ期間保持して出力する。すなわち音声期間は直前の無音声期間の周囲雑音平均レベルの最終値を保持して代用させている。オンディレイ回路は、第１低域濾波器出力が音声期間から無音声期間に移行して定常値に達するまでの過渡期間をホールド期間に付加している。
【００３５】
第２利得制御器１３は、ホールド回路４より出力される送話ピークレベル信号をＶｃ  、サンプルホールド回路８の出力値をＶｃｃとすると、
Ｖｃ  ＝Ｋ’Ｖｃ  ／Ｖｃｃ                                        ・・（２）
ただし、Ｋ’は定数
なる除算を行わせてＶｃ  を出力する。第２利得制御器１３は帯域濾波器２の入力側からホールド回路出力側にいたる利得制御器１の制御入力作成部の適当な場所に、設計状況に応じて適宜配置される。
【００３６】
下限リミタ１２は、サンプルホールド回路８より出力される信号Ｖｃｃが０に近づくに従って、式（２）のＶｃｃが大きく成り過ぎて第２利得制御器の出力が飽和するのを防止するため、Ｖｃｃが或る設定された値以下では所定の値を出力するようにしている。
【００３７】
すなわち、図３に示すように、例えば周囲雑音レベルが６０ｄＢＳＰＬ  以下では第２制御器利得を０ｄＢ、６０ｄＢＳＰＬ  を越えると、周囲雑音レベルに比例して利得を小さくしている。
【００３８】
なお、第２利得制御器１３を減衰器で構成させ、サンプルホールド回路８の出力値が０のときは減衰量が０、０以外のときは出力値に比例して減衰量を増加するように構成された場合は下限リミタ１２は不要である。
【００３９】
また、第１の実施例では無音声期間であるか否かの検出を第２低域濾波器９よりの出力信号を判定器１０に入力して検出させていたが、第２低域濾波器の出力と遅延時間や波形の近いホールド回路４の出力である送話ピークレベル信号を判定器１０に入力して検出させるようにしてもよい。
【００４０】
また、第１の実施例では第２利得制御器１３の制御を無音声期間については無音声期間の周囲雑音レベルで、また音声期間については直前の周囲雑音レベルを保持して制御を行わせていたが、音声期間の音声レベルで制御を行わすこともでき、前述の第２の発明の実施例に簡単に変換できる。
【００４１】
すなわち、音声出力は、図１０で説明したように、周囲雑音レベルが６０ｄＢＳＰＬ  以上になると、周囲雑音出力に比例した音声出力となる。したがって、図１０の場合は音声出力を２０ｄＢ低下させると、周囲雑音出力にほぼ一致する。
【００４２】
そこで、サンプルホールド回路８には第１低域濾波器７の利得を一定量（図１０の場合は２０ｄｂ）低下させて信号を入力させ、判定器１０では図２（Ｄ）のオンとオフを反転した信号を出力させることによって音声出力レベルで制御させることもできる。
【００４３】
つぎに、図４を参照して、前述の第４の発明を実現する本発明の第２の実施例について説明する。
図４において、第３帯域濾波器１４以外は図１で説明した通りである。
第３帯域濾波器１４の特性は帯域濾波器２および第２帯域濾波器５と同様の特性を有する。
また、第３帯域濾波器１４に入力する信号は相手通話者から伝送された受話器への信号を入力する。
【００４４】
一般に自分が話しをしている時は相手は聞いており、相手が話しをしている時は自分が聞いている場合が殆どである。
したがって、受話器からの信号を第２低域濾波器９に通した出力の信号レベルが一定値以上の期間を送話器の無音声期間、一定値以下の期間を送話器の音声期間とすることができる。
このように相手方の信号を利用することによって無音声期間の分離が困難なほど送話器の周囲雑音レベルが高くても確実に無音声期間と音声期間を分離してタイミングパルスを作成することができる。
【００４５】
つぎに、図５を参照して、前述の第３の発明を実現する本発明の第３の実施例を説明する。
第３の実施例は音声期間および無音声期間の両方をサンプルホールド回路のサンプル期間として利用するものであり、遅延回路１５、ＥＸ．ＮＯＲ１６、ＡＮＤ１７、インバータ遅延回路１８、Ｄ−Ｆ／Ｆ１９および利得切替器２０以外は図１で説明した通りである。
つぎに、図６を参照して、第３の実施例の動作を説明する。
【００４６】
図６において、（Ａ）送話器出力、（Ｂ）第１低域濾波器出力、（Ｃ）第２低域濾波器出力、（Ｄ）判定器出力については図２で説明した通りである。
遅延回路１５では、図６（Ｅ）に示すように、判定器１０の出力を遅延して出力する。遅延時間は図６（Ｂ）に示す第２低域濾波器の出力が定常値に達するまでの時間に設定する。ＥＸ．ＮＯＲは判定器及び遅延回路の出力を元にして論理１をサンプル期間、論理０をホールド期間とするタイミングパルスを作成する。ホールド期間は低域濾波器２出力が無音声期間と音声期間が切り替わる際定常値に達するまでの過渡期間である。
【００４７】
ＥＸ．ＮＯＲ１６の出力がオンであるサンプル期間は、上記過渡期間を除いた定常期間であり、第１低域濾波器７出力がそのままサンプルホールド回路の出力となる。Ｄ−Ｆ／Ｆ１９はデータ入力Ｄ、クロック入力ＣＫ、リセット入力ＲＳ、
【数１】
0003601877.tif 000002
をもつＤ型フリップフロップで、インバータ遅延回路１８出力（ＥＸ．ＮＯＲ１６出力の反転遅延パルス）の立上がりエッジでトグル反転し、ＡＮＤ１７出力でリセットすることで、ホールド期間内で反転し無音声期間は論理０、音声期間は論理１となる利得切替器制御パルスを作成している。（サンプル期間内で利得切替器が反転することは利得不整合となり不具合である。）
【００４８】
利得切替器は、Ｄ−Ｆ／Ｆ１９のＱ出力が０のときは利得切替器２０の利得を０ｄＢにし、出力Ｑが１のときは利得が一定量（図１０の場合は２０ｄＢ）低下するよう切替える。
また、サンプルホールド回路８は図６（Ｆ）で示すＥＸ．ＮＯＲ１６の出力が１の期間は利得切替器２０よりの出力信号をそのまま、また０の期間は１より０に切替える直前の値を保持して出力する。
【００４９】
なお実施例では帯域濾波器２と第２帯域濾波器５とを別々に設けるようにしたが、これらを共用させるようにしてもよい。
また、実施例では第２利得制御器１３を設けてホールド回路４よりの信号を制御するようにしていたが、利得制御器１を乗除算器とし、乗算制御入力を送話ピークレベル信号、除算制御入力をサンプルホールド出力からの信号とすることで、第２利得制御器１３を利得制御器１が兼ねることもできる。
【発明の効果】
【００５０】
以上説明したように、本発明によれば次の効果が得られる。
周囲雑音環境が大きく変化した時に必要な制御入力の感度切替えが手動から自動となることにより使い勝手が大幅に改善される。
また、制御入力感度が周囲雑音レベルの平均値の変化に追従する連続制御方法を採用するので、周囲雑音レベルの所定値で感度切替えを行う断続制御方式のような急激な感度変動がなく使用感が良好である。
さらに周囲雑音平均レベルを検出するのに特別なセンサーを増設する必要もなく、音声端末装置が本来備えている送話器及び／又は受話器からの信号を利用した電子回路だけで本発明の制御系は構成できる。この電子回路は集積回路とすることができるので、省スペースで安価なものが実現できる。
【図面の簡単な説明】
【図１】本発明の第１の実施例の構成図である。
【図２】第１の実施例の動作説明図である。
【図３】同実施例の下限リミッタの動作説明図である。
【図４】本発明の第２の実施例の構成図である。
【図５】本発明の第３の実施例の構成図である。
【図６】第３の実施例の動作説明図である。
【図７】従来例の構成図である。
【図８】日本語母音のフォルマントを示す特性図である。
【図９】従来例のピークホールド回路の具体例である。
【図１０】周囲雑音レベルと音声出力との関係を説明するための図である。
【符号の説明】
１    利得制御器
２    帯域濾波器
３    ピーク検出器
４    ホールド回路
５    第２帯域濾波器
６    整流器
７    第１低域濾波器
８    サンプルホールド回路
９    第２低域濾波器
１０  判定器
１１  オンディレイ回路
１２  下限リミタ
１３  第２利得制御器
１４  第３帯域濾波器
１５  遅延回路
１６  ＥＸ．ＮＯＲ
１７  ＡＮＤ
１８  インバータ遅延回路
１９  Ｄ−Ｆ／Ｆ
２０  利得切替器
【図１】
0003601877.tif 000003
【図２】
0003601877.tif 000004
【図３】
0003601877.tif 000005
【図４】
0003601877.tif 000006
【図５】
0003601877.tif 000007
【図６】
0003601877.tif 000008
【図７】
0003601877.tif 000009
【図８】
0003601877.tif 000010
【図９】
0003601877.tif 000011
【図１０】
0003601877.tif 000012